(57)【要約】      （修正有）【課題】ラベルに表示させる情報を操作者が間違いなくかつ容易に入力可能なラベル印字装置を提供する。【解決手段】ラベル印字装置１０は、操作ディスプレイ２１のタッチパネルと、表示制御部３２と、操作ディスプレイ２１と、を備える。タッチパネルが、一の項目についての複数の選択肢が並んだ一覧画面において、各選択肢の表示枠内の領域のうち主領域とは異なる副領域からの入力を操作者から受け付けると、表示制御部３２は、入力に関連する第１選択肢及び第１選択肢に隣接する第２選択肢を含む２以上の選択肢を、一覧画面よりも表示枠を拡大した部分拡大画面を用いて操作ディスプレイ２１に表示する。【選択図】図３
2014056418.tif 000002
【特許請求の範囲】
【請求項１】
操作者から入力を受け付ける入力受付部と、
前記操作者からの入力に基づいて表示を制御する表示制御部と、
前記表示制御部からの制御に基づいて表示を行う表示部と、
を備え、
前記入力受付部が、ラベルに印字される複数の項目のうち一の項目についての入力を前記操作者から受け付けると、前記表示制御部は、前記一の項目についての複数の選択肢が並んだ第１画面を前記表示部に表示し、
前記入力受付部が、前記第１画面において、各選択肢の表示枠内の領域のうち主領域とは異なる副領域からの入力を前記操作者から受け付けると、前記表示制御部は、前記入力に関連する第１選択肢及び前記第１選択肢に隣接する第２選択肢を含む２以上の選択肢を、前記第１画面よりも前記表示枠を拡大した第２画面を用いて前記表示部に表示する、
ラベル印字装置。
【請求項２】
前記入力受付部は、前記第２画面において前記操作者から選択肢の入力を受け付ける、請求項１に記載のラベル印字装置。
【請求項３】
前記入力受付部が、前記第２画面において前記操作者から選択肢の入力を受け付けた後、前記表示制御部は前記入力を受け付けた選択肢をさらに拡大した第３画面を前記表示部に表示する、請求項２に記載のラベル印字装置。
【請求項４】
前記表示制御部は、前記第２画面とともに、前記一の項目に関連する情報である項目関連情報をさらに表示する、請求項１に記載のラベル印字装置。
【請求項５】
前記副領域は前記主領域の周辺領域である、請求項１に記載のラベル印字装置。
【請求項６】
前記主領域は、各表示枠の上下中心、左右中心及び／又は表記文字を含む、請求項１に記載のラベル印字装置。
【請求項７】
前記入力受付部が、前記第１画面において一の表示枠の主領域から入力を受け付けると、前記表示制御部は、前記第２画面の表示を省略して次画面を表示する、請求項１に記載のラベル印字装置。
【発明の詳細な説明】
【技術分野】
【０００１】
本発明は、ラベル印字装置に関する。
【背景技術】
【０００２】
従来から、スーパーマーケット等ではラベル印字装置が用いられている（例えば、特開２００８−０５８２５１号公報）。ラベル印字装置は、商品（例えば、精肉、鮮魚、惣菜等）の産地、原材料及び重量などの情報をラベルに印字して当該ラベルを発行する。情報をラベル印字装置に入力する場合、操作者は、産地等の選択肢が一覧に表示された選択肢表示画面をラベル印字装置の表示部に表示させ、選択肢表示画面から該当する選択肢を選択する。
【発明の概要】
【発明が解決しようとする課題】
【０００３】
しかし、選択肢表示画面は、より多くの情報を表示させるために、各選択肢の表示枠が小さく、また、各選択肢の文字等も小さく表示されている。そのため、操作者はラベルに表示させる情報を選択肢表示画面から間違いなくかつ容易に選択できない。
【０００４】
また誤った選択をして、誤った情報のままでラベルに印字してしまうことがある。
【０００５】
そこで、本願は、ラベルに印字させる情報を操作者が間違いなくかつ容易に入力可能なラベル印字装置を提供することを目的とする。
【課題を解決するための手段】
【０００６】
本発明に係るラベル印字装置は、入力受付部と、表示制御部と、表示部と、を備える。入力受付部は、操作者から入力を受け付ける。表示制御部は、操作者からの入力に基づいて表示を制御する。表示部は、表示制御部からの制御に基づいて表示を行う。
【０００７】
入力受付部が、ラベルに印字される複数の項目のうち一の項目についての入力を操作者から受け付けると、表示制御部は、一の項目についての複数の選択肢が並んだ第１画面を表示部に表示する。
【０００８】
入力受付部が、第１画面において、各選択肢の表示枠内の領域のうち主領域とは異なる副領域からの入力を操作者から受け付けると、表示制御部は、入力に関連する第１選択肢及び第１選択肢に隣接する第２選択肢を含む２以上の選択肢を、第１画面よりも表示枠を拡大した第２画面を用いて表示部に表示する。
【０００９】
上記ラベル印字装置によれば、操作者が副領域をタッチした場合には、タッチした副領域を含む第１選択肢のみならず、第１選択肢に隣接する第２選択肢が第２画面において拡大表示される。よって、上記ラベル印字装置によれば、拡大表示された第２画面を参照することで操作者は容易にかつ正確にラベルに表示させる情報を入力可能である。
【００１０】
また、入力受付部は、第２画面において操作者から選択肢の入力を受け付けると好ましい。
【００１１】
また、入力受付部が、第２画面において操作者から選択肢の入力を受け付けた後、表示制御部は入力を受け付けた選択肢をさらに拡大した第３画面を表示部に表示すると好ましい。
【００１２】
また、表示制御部は、第２画面とともに、一の項目に関連する情報である項目関連情報をさらに表示すると好ましい。
【００１３】
また、副領域は主領域の周辺領域であると好ましい。
【００１４】
また、主領域は、各表示枠の上下中心、左右中心及び／又は表記文字を含むと好ましい。
【００１５】
また、入力受付部が、第１画面において一の表示枠の主領域から入力を受け付けると、表示制御部は、第２画面の表示を省略して次画面を表示すると好ましい。
【発明の効果】
【００１６】
本発明により、ラベルに表示させる情報を操作者が間違いなくかつ容易に入力可能なラベル印字装置を提供することができる。
【図面の簡単な説明】
【００１７】
【図１】本発明の一実施形態に係るラベル印字装置の外観斜視図である。
【図２】カセット装着部のカバーが開いた状態を示す外観斜視図である。
【図３】ラベル印字装置の機能構成及びハードウェア構成を示すブロック図である。
【図４】ある商品項目に対する入力画面例である。
【図５】一覧画面例である。
【図６】部分拡大画面例である。
【図７】選択肢の表示枠内における主領域及び副領域を示す説明図である。
【図８】主領域及び副領域の各種例を示す説明図である。
【図９】確認画面例である。
【図１０】表示制御部による表示制御処理のフローチャートの一例である。
【図１１】一覧画面において、操作者が選択肢の境界部分をタッチした場合のタッチ位置を示す説明図である。
【図１２】図１１に示す操作の結果後に示される部分拡大画面の一例である。
【図１３】一覧画面の一の選択肢における主領域Ａ及び副領域Ｂの定義の他の一例を示す説明図である。
【図１４】表示制御部による表示制御処理のフローチャートの別の一例である。
【図１５】選択肢の表示枠内における主領域及び副領域を示す別の一例の説明図である。
【図１６】関連情報の表示例を示す説明図である。
【発明を実施するための形態】
【００１８】
＜実施形態＞
（１）全体構成
図１はラベル印字装置の外観斜視図であり、図２はカセット装着部のカバーが開いた状態を示す外観斜視図である。ラベル印字装置１０は、商品の重量を計量するとともに、計量した商品に貼り付けるラベルを発行する機能を有する。
【００１９】
ラベル印字装置１０は、主として、操作ディスプレイ２１と、操作スイッチ２２と、計量部２３と、ラベル印字部２４と、カバー２５と、カセット装着部２６とを有する。さらに、ラベル印字装置１０は、後述の制御部３０および記憶部４０を有する（図３参照）。
【００２０】
（１−１）操作ディスプレイ
操作ディスプレイ２１は、ラベル印字装置１０の前面に取り付けられたタッチパネルモニタである。操作ディスプレイ２１には、オペレータに操作を促すための種々の画面が表示される。
【００２１】
（１−２）操作スイッチ
操作スイッチ２２は、操作ディスプレイ２１で選択した商品に関する各種のデータを呼び出すための呼出キー、商品を選択するためのテンキー、ラベル印字処理を実行させるための印字キー等を有している。
【００２２】
（１−３）計量部
計量部２３は、ラベル印字装置１０の上部に配置されている。計量部２３は、主として、計量台２３ａと、計量台２３ａの下方に設けられたロードセル（図示せず）とからなる。計量台２３ａに載せられた商品の重量は、ロードセルによって計量される。
【００２３】
（１−４）カセット装着部、カバー
操作スイッチ２２の前面右側にはカバー２５が設けられている。カセット装着部２６はカバー２５に対応するように設けられており、カバー２５が開状態となることでカセット装着部２６が露出する。カセット装着部２６には、ラベルを収納したラベルカセットが着脱自在に装着される。例えば、ラベルカセットを交換する場合、新たなラベルロールを収納したラベルカセットがカセット装着部２６に押し込まれて装着される。
【００２４】
（１−５）ラベル印字部
ラベル印字部２４は図２に示すようにカバー２５に一体に設けられている。ラベル印字部２４は、主として、印字ヘッド２４ａ、認識部２４ｂ及び弾性プレート２４ｃを有する。
【００２５】
印字ヘッド２４ａはラベルに所定の情報を印字する。所定の情報とは、例えば、商品名、価格、加工日、消費期限、原材料などである。印字ヘッド２４ａは、カバー２５が閉じられた状態で、ラベルを送出するためのプラテンローラに対向する位置に配置される。印字ヘッド２４ａは、サーマルヘッドであり、プラテンローラを通過するラベルに上方から当接してラベルに印字処理を行う。印字ヘッド２４ａは複数の発熱体が例えば並列に配置されて構成される。発熱体は例えば抵抗から構成される。個々の発熱体への通電量を制御することで、熱転写シートであるラベルに塗布されている熱溶融性のインクが溶融して印字が行われる。
【００２６】
認識部２４ｂは、カバー２５に取り付けられており、カバー２５が閉じられた状態でラベルカセットの反射部に対向する位置に配置される。認識部２４ｂは、ラベルカセットが有する反射部とともに、ラベルセンサとして機能する。認識部２４ｂはラベルセンサとしてラベルが搬送されたかどうかを認識する。
【００２７】
弾性プレート２４ｃは、連続する複数のラベルから一のラベルを切り離す際に用いる部材である。
【００２８】
図１、図２ではラベル印字部２４はカバー２５に一体に設けられているが、ラベル印字部２４はカバー２５と別体であってもよい。
【００２９】
（２）機能構成
図３は、ラベル印字装置の機能構成及びハードウェア構成を示すブロック図である。ラベル印字装置１０は、ハードウェアとして、前述の操作ディスプレイ２１、操作スイッチ２２、計量部２３、ラベル印字部２４、カバー２５及びカセット装着部２６等を有している。また、ラベル印字装置１０は、機能部として、操作ディスプレイ２１での表示制御処理を行うための制御部３０および記憶部４０を有する。
【００３０】
（２−１）記憶部
記憶部４０は、ＲＯＭ、ＲＡＭ、およびハードディスク等から構成されている。記憶部４０は、制御部３０によって実行される各種プログラムおよび制御部３０によって各機能を実施するために必要な情報を記憶する。
【００３１】
記憶部４０は、各種プログラムを記憶する記憶部以外に、主画面データ記憶部４１、入力データ記憶部４２及び拡大画面データ記憶部４３を有する。
【００３２】
主画面データ記憶部４１は、予め作成された画面データを記憶している。例えば、主画面データ記憶部４１には、操作者が商品項目として「黒毛和牛霜降ロースステーキ」を選択する場合の入力画面（図４参照）や産地名が一覧表示された一覧画面（図５参照）などが記憶されている。主画面データ記憶部４１から読み出された一覧画面内の各項目が選択されることにより操作者によりデータが入力可能となる。また、主画面データ記憶部４１は、一覧画面の各選択肢について、後述の主画面Ａ及び副画面Ｂの各領域の範囲を記憶している。
【００３３】
入力データ記憶部４２は操作者が入力したデータを記憶している。例えば、図５の入力画面において選択肢「山梨県産」が選択されると、「山梨県産」が選択されたことを記憶している。また、入力データ記憶部４２は、選択肢の表示枠内のうち、主領域Ａ又は副領域Ｂのいずれが選択されたかも記憶している。
【００３４】
拡大画面データ記憶部４３は、操作者の操作に応じて表示制御部３２が生成した拡大画面（後述の部分拡大画面６０、関連情報７０、確認画面８０等）を一時的に記憶する。その他、拡大画面データ記憶部４３は、後述の拡大処理がなされる場合の拡大処理方法を記憶している。例えば、拡大画面データ記憶部４３は、拡大範囲、拡大率、及び関連情報の記載の有無などを記憶している。
【００３５】
拡大範囲としては、例えば、選択肢の表示枠のうち主領域Ａが選択された場合の拡大範囲Ａと、副領域Ｂが選択された場合の拡大範囲Ｂと、に分けることができる。拡大範囲Ａは後述の確認画面８０に対応して定義され、拡大範囲Ｂは後述の部分拡大画面６０に対して定義される。主領域Ａの選択に関連する拡大範囲Ａに対しては、選択された一の選択肢を拡大する旨の情報が拡大画面データ記憶部４３に記憶されている。副領域Ｂに関連する拡大範囲Ｂに対しては、例えば、所望の選択肢と、その選択肢に隣接する上下２つの選択肢とを拡大するなどの情報が拡大画面データ記憶部４３に記憶されている。
【００３６】
拡大率としては、例えば、一覧画面の一の選択肢の２倍、３倍などの情報が挙げられる。
【００３７】
（２−２）制御部
制御部３０は、主として、ＣＰＵから構成されており、記憶部４０に記憶されているプログラムや各種情報に基づいて各構成の制御を行う。
【００３８】
制御部３０は、主として、操作ディスプレイ２１に各種画面を表示するための処理を行う表示制御部３２を有している。表示制御部３２が表示する各種画面について図４〜図９を用いて以下の（ａ）〜（ｄ）に沿って説明する。図４はある商品項目に対する入力画面例であり、図５は一覧画面例であり、図６は部分拡大画面例である。図７は選択肢の表示枠内における主領域及び副領域を示す説明図であり、図８は主領域及び副領域の各種例を示す説明図である。図９は確認画面例である。
【００３９】
（ａ）商品項目の選択後の入力画面
操作者が図示しない例えば初期画面から商品項目として「黒毛和牛霜降ロースステーキ」の入力画面を選択したとする。表示制御部３２は、操作者の操作に応じて主画面データ記憶部４１から対応する入力画面を読み出し、図４に示す入力画面を操作ディスプレイ２１に表示する。
【００４０】
（ｂ）一覧画面（第１画面）の表示
次に、操作者が図４に示す入力画面において産地名（太丸囲み部分）を選択すると、表示制御部３２は、主画面データ記憶部４１から産地名一覧画面を読み出し、図５に示す一覧画面５０を操作ディスプレイ２１に表示する。図５に示す一覧画面５０では、複数の選択肢が並んで一覧に表示されている。例えば、図５では、産地名の「北海道産」と、対応する番号「００１」とが一つの選択肢として表示されている。同様に、産地名「青森県産」及び「００２」からなる選択肢、産地名「秋田県産」及び「００３」からなる選択肢というように複数の選択肢が一覧で表示されている。このような一覧画面５０では、一般的に各選択肢の表示枠を小さくし、各選択肢の文字、図形、記号等を小さく表示することで、より多くの情報を表示させている。
【００４１】
（ｃ）部分拡大画面（第２画面）の表示
ここで、操作者は図５に示す一覧画面５０において産地名として「山梨県産」を入力すべきであるが（図５の太丸囲み部分）、「０１５」及び「山梨県産」からなる選択肢を正確に選択することができなかったとする。この場合、表示制御部３２は、入力すべき「山梨県産」と、「山梨県産」の近傍の複数の選択肢を抽出し、それらの選択肢を拡大した部分拡大画面６０を図６に示すように操作ディスプレイ２１に表示する。部分拡大画面６０の各選択肢の表示枠の大きさは、一覧画面５０の各選択肢の表示枠の大きさよりも拡大されている。例えば、各選択肢の表示枠の大きさは、一覧画面５０の各選択肢の表示枠の大きさの２倍以上である。また、部分拡大画面６０の各選択肢内の表示もまた、一覧画面５０の各選択肢内の表示の例えば２倍以上である。
【００４２】
表示制御部３２による部分拡大画面６０の作成について以下にさらに説明する。
【００４３】
（ｃ−１）主領域Ａ及び副領域Ｂ
図５の一覧画面５０において、各選択肢の表示枠内の領域は主領域Ａ及び副領域Ｂに分けられている。例えば、図７に示すように「０１５」及び「山梨県産」を含む領域が主領域Ａであり、副領域Ｂは一の表示枠のうち主領域Ａを除く領域である。なお、主画面データ記憶部４１は、各選択肢について主画面Ａ及び副画面Ｂの各領域の範囲を記憶している。
【００４４】
主領域Ａ及び副領域Ｂの設定は図７に限定されない。例えば、図８（ａ）には一の表示枠が示されているが、一の表示枠の中心領域を含む領域を主領域Ａと定義し、一の表示枠のうち主領域Ａを除く領域を副領域Ｂと定義してもよい。ここで、一の表示枠の中心領域とは、表示枠の上下中心及び／又は左右中心を含む。表示枠の幅をＷ及び長さをＬとすると、主領域Ａの上辺及び下辺は例えば表示枠のそれぞれ上端及び下端から１／４Ｗ〜１／５Ｗに位置する。また、主領域Ａの左辺及び右辺は例えば表示枠のそれぞれ右端及び左端から１／４Ｌ〜１／５Ｌに位置する。
【００４５】
また、図８（ｂ）では、文字列、記号、図形等の表記文字が表示枠の中心に位置していない。このような場合、表記文字に対応する領域を主領域Ａと定義し、その他の領域を副領域Ｂと定義してもよい。また、図８（ｃ）に示すように、文字列、記号、図形等の表記文字を含む長さ方向に延在する領域を主領域Ａと定義し、その他の領域を副領域Ｂと定義してもよい。なお、図７は図８（ｃ）の領域定義をあてはめた例である。このような主領域Ａ及び副領域Ｂの定義は、図５に示す一覧画面に示される全ての選択肢に共通であってもよいし、一覧画面内の各選択肢の表示形態等に応じて異なっていてもよい。本実施形態では、図５の一覧画面の各選択肢の表示枠は同一に構成されており、表示枠内の表記文字も概ね同位置に表示されているため、主領域Ａ及び副領域Ｂの定義は全ての選択肢で共通であるものとする。
【００４６】
（ｃ−２）部分拡大画面への移行
一覧画面５０において、操作者が表示枠のうち主領域Ａをタッチした場合には、確実に当該主領域Ａを含む一の表示枠を選択していると判断可能である。一方、操作者が表示枠のうち副領域Ｂをタッチした場合には、当該表示枠内の選択肢の選択を意図したものであるのか明確ではない。
【００４７】
ここで、操作者は図５に示す一覧画面５０において産地名として「山梨県産」を入力すべきであるとする。この場合、操作者がタッチすべき箇所を誤り、図７に示す選択肢「０１５」及び「山梨県産」の副領域Ｂをタッチしたとする。まず、表示制御部３２は操作ディスプレイ２１から操作者がタッチした位置を取得する。次に、表示制御部３２は、主画面データ記憶部４１に記憶されている主領域Ａ及び副領域Ｂと、タッチされた位置とを比較し、「０１５」及び「山梨県産」からなる選択肢の表示枠のうちの副領域Ｂがタッチされたことを検出する。表示制御部３２は、この検出結果に基づいて、副領域Ｂがタッチされた「０１５」及び「山梨県産」に隣接する選択肢を表示する部分拡大画面６０を作成する。
【００４８】
部分拡大画面６０の作成は、拡大画面データ記憶部４３に記憶されている拡大処理方法のうち特に拡大範囲Ｂの情報に基づいて行われる。ここでは、拡大処理方法として、タッチされた副領域Ｂを有する選択肢と、その選択肢に対して上下２つの隣接する選択肢とを、一覧画面５０の一の選択肢の２倍の大きさに拡大すると定義されているとする。よって、表示制御部３２は、図６に示すように、「０１５」及び「山梨県産」からなる選択肢と、その上部の「０１４」及び「石川県産」からなる選択肢及び「０１３」及び「富山県産」からなる選択肢と、その下部の「０１６」及び「岐阜県産」からなる選択肢及び「０１７」及び「静岡県産」からなる選択肢とを抽出し、それらの選択肢を２倍に拡大した部分拡大画面６０を作成する。
【００４９】
さらに表示制御部３２は、拡大画面データ記憶部４３に記憶されている拡大処理方法に基づいて、部分拡大画面６０に加えて関連情報７０の表示を行ってもよい。例えば、拡大画面データ記憶部４３には、操作者が選択した商品項目に関連する情報を部分拡大画面６０において関連情報７０として表示すると記憶されているとする。前述の図４に示す通り、操作者は商品項目として「黒毛和牛霜降ロースステーキ」を選択している。よって、表示制御部３２は、図６に示すように部分拡大画面６０に加えてこの商品項目を関連情報７０として表示する。これにより、操作者は、図６の部分拡大画面６０が「黒毛和牛霜降ロースステーキ」に関連する部分拡大画面６０であることを確認しつつ所望の選択肢を選択することができる。このとき、関連情報７０は部分拡大画面６０の拡大率に併せて拡大表示されてもよい。また、図６では関連情報７０は部分拡大画面６０とは別途に表示されているが、関連情報７０は部分拡大画面６０内に組みこまれていてもよい。
【００５０】
また部分拡大画面６０には、図６に示すように戻るボタン７５及びスクロールボタン７７がさらに設けられていてもよい。戻るボタン７５が選択されると一覧画面５０が操作ディスプレイ２１に表示される。また、スクロールボタン７７が選択されると、部分拡大画面６０において選択肢が上下にスクロールするなどして、表示される選択肢が変更され得る。
【００５１】
このようなラベル印字装置１０では、各選択肢の表示枠において、副領域Ｂを主領域Ａの周辺領域と定義しているため、主領域Ａから外れた不正確な入力を検出することができる。そして、不正確な入力が検出された場合には、部分拡大画面６０において関連する選択肢が拡大して表示される。つまり、操作者が副領域Ｂをタッチした場合には、タッチした副領域Ｂを含む選択肢のみならず、当該選択肢に隣接する選択肢が部分拡大画面６０において拡大表示される。そのため、部分拡大画面６０では操作者が入力を希望していると考えられる選択肢の候補が拡大されて表示される。このように選択肢が拡大表示されているため操作者は間違いなくかつ容易に所望の選択肢を確認することができ、また、選択肢の拡大によりその表示枠も拡大されているため、操作者は間違いなくかつ容易に所望の選択肢の表示枠内をタッチ、特にその主領域Ａを間違いなくかつ容易にタッチすることができる。以上より、上記ラベル印字装置１０によれば、操作者は間違いなくかつ容易にラベルに表示させる情報を入力可能である。
【００５２】
（ｄ）確認画面（第３画面）の表示
次に、操作者は図６の部分拡大画面６０を参照し、所望の「０１５」及び「山梨県産」からなる選択肢を選択する。表示制御部３２は、部分拡大画面６０において「０１５」及び「山梨県産」からなる選択肢が選択されたことを検出すると、その選択肢を拡大した確認画面８０を図９に示すように操作ディスプレイ２１に表示する。このとき、表示制御部３２は、拡大画面データ記憶部４３で定義された拡大処理方法のうち特に拡大範囲Ａの情報に基づいて、選択された「山梨県産」を一覧画面５０よりも拡大して表示する。これにより、操作者は、自分が選択した選択肢が所望の選択肢であるかを確認することができる。なお、表示制御部３２は、「山梨県産」だけでなく「０１５」及び「山梨県産」の両方を拡大して表示してもよい。
【００５３】
（３）処理の流れ
図１０は表示制御部による表示制御処理のフローチャートの一例である。
【００５４】
まず、表示制御部３２は、操作者が図示しない初期画面から選択した商品項目について、主画面データ記憶部４１から対応する入力画面を読み出し操作ディスプレイ２１に表示している（図４参照）。次に、表示制御部３２は、操作者が入力画面において例えば図４の産地名を選択すると、主画面データ記憶部４１から産地名一覧画面を読み出し、一覧画面５０を操作ディスプレイ２１に表示している（図５参照）。
【００５５】
ステップＳ１０：表示制御部３２は、一覧画面５０を表示している場合はステップＳ１１に進む。そうでない場合は、表示制御部３２は操作者からの入力に応じた処理を行い、一覧画面５０が選択されるのを待機する。
【００５６】
ステップＳ１１：表示制御部３２は、操作ディスプレイ２１における操作者の入力に基づいて、一覧画面５０において選択肢の選択を受け付けたか否かを判定する。表示制御部３２は、選択肢が選択された場合にはステップＳ１２に進み、そうでない場合は待機する。
【００５７】
ステップＳ１２：表示制御部３２は、一の選択肢の表示枠内のうち主領域Ａにおいて入力を受け付けた場合はステップＳ１５に進む。表示制御部３２は、一の選択肢の表示枠内のうち副領域Ｂにおいて入力を受け付けた場合はステップＳ１３に進む。
【００５８】
ステップＳ１３：表示制御部３２は、副領域Ｂにおいて入力を受け付けたことに基づいて、当該副領域Ｂを有する選択肢と、当該選択肢に隣接する選択肢と、を含む部分拡大画面６０を操作ディスプレイ２１に表示する（図６参照）。
【００５９】
ステップＳ１４：表示制御部３２は、部分拡大画面６０において１の選択肢が選択されたことを検出するとステップＳ１５進む。そうでない場合は、表示制御部３２は選択肢の選択を待機する。
【００６０】
ステップＳ１５：表示制御部３２は、部分拡大画面６０において１の選択肢が選択されたことを検出すると、その選択肢を拡大した確認画面８０を操作ディスプレイ２１に表示する（図９参照）。
【００６１】
一方、表示制御部３２はステップＳ１２において一の選択肢の表示枠内のうち主領域Ａがタッチされたことを検出すると、当該主領域Ａを有する選択肢を確認画面８０に表示する（図９参照）。
【００６２】
ステップＳ１６：表示制御部３２は、確認画面８０を操作ディスプレイ２１に所定時間表示すると、確認画面８０を終了し商品項目の入力画面に戻る（図４参照）。
【００６３】
（４）特徴
（４−１）
本発明に係るラベル印字装置１０は、操作ディスプレイ２１のタッチパネルと、表示制御部３２と、操作ディスプレイ２１と、を備える。タッチパネルは、操作者から入力を受け付ける。表示制御部３２は、操作者からの入力に基づいて表示を制御する。操作ディスプレイ２１は、表示制御部３２からの制御に基づいて表示を行う。
【００６４】
タッチパネルが、ラベルに印字される複数の項目のうち一の項目についての入力を操作者から受け付けると、表示制御部３２は、一の項目についての複数の選択肢が並んだ一覧画面５０を操作ディスプレイ２１に表示する。
【００６５】
また、タッチパネルが、一覧画面５０において、各選択肢の表示枠内の領域のうち主領域Ａとは異なる副領域Ｂからの入力を操作者から受け付けると、表示制御部３２は、入力に関連する第１選択肢及び第１選択肢に隣接する第２選択肢を含む２以上の選択肢を、一覧画面５０よりも表示枠を拡大した部分拡大画面６０を用いて操作ディスプレイ２１に表示する。
【００６６】
各選択肢の表示枠内の領域は主領域Ａ及び副領域Ｂに分けられる。主領域Ａは例えば一の表示枠の中心領域であり、副領域Ｂは表示枠のうち主領域Ａを除く領域である。操作者が表示枠のうち主領域Ａをタッチした場合には、確実に当該主領域Ａを含む一の表示枠を選択していると判断可能である。一方、操作者が表示枠のうち副領域Ｂをタッチした場合には、当該表示枠内の選択肢の選択を意図したものであるのか明確ではない。上記ラベル印字装置１０によれば、操作者が副領域Ｂをタッチした場合には、タッチした副領域Ｂを含む第１選択肢のみならず、第１選択肢に隣接する第２選択肢が部分拡大画面６０において拡大表示される。つまり、部分拡大画面６０では操作者が入力を希望していると考えられる選択肢の候補が拡大されて表示される。選択肢が拡大表示されているため操作者は間違いなくかつ容易に所望の選択肢を確認することができ、また、選択肢の拡大によりその表示枠も拡大されているため操作者は間違いなくかつ容易に所望の選択肢の表示枠内をタッチすることができる。以上より、上記ラベル印字装置１０によれば、操作者は間違いなくかつ容易にラベルに表示させる情報を入力可能である。
【００６７】
（４−２）
また、タッチパネルは、部分拡大画面６０において操作者から選択肢の入力を受け付ける。
【００６８】
部分拡大画面６０では、各選択肢の表示枠及びその文字列等が一覧画面５０よりも拡大されて表示されている。よって、操作者は間違いなくかつ容易に所望の選択肢を確認して選択することができる。
【００６９】
（４−３）
また、タッチパネルが、部分拡大画面６０において操作者から選択肢の入力を受け付けた後、表示制御部３２は入力を受け付けた選択肢をさらに拡大した確認画面８０を操作ディスプレイ２１に表示する。
【００７０】
部分拡大画面６０において操作者が所望の選択肢を選択すると、その選択肢がさらに拡大して操作ディスプレイ２１に表示される。よって、操作者は、自分が選択した選択肢が所望の選択肢であるかを確認することができる。
【００７１】
（４−４）
また、表示制御部３２は、部分拡大画面６０とともに、一の項目に関連する情報である関連情報７０をさらに表示する。
【００７２】
表示制御部３２は、操作者から一の項目について入力があると、操作ディスプレイ２１に一の項目に関連する一覧画面５０を表示する。さらに、操作者が一覧画面５０において表示枠内の副領域Ｂから入力を行うと、表示制御部３２は、部分拡大画面６０とともに一の項目に関連する関連情報７０を操作ディスプレイ２１に表示する。よって、操作者は、部分拡大画面６０が一の項目に関連する画面であることを確認しつつ所望の選択肢を選択することができる。例えば、操作ディスプレイ２１には、関連情報７０として「黒毛和牛霜降りロースステーキ」が表示されるとともに、部分拡大画面６０として産地名を部分的に拡大した表示がなされる。
【００７３】
（４−５）
また、副領域Ｂは主領域Ａの周辺領域である。
【００７４】
操作者が表示枠のうち主領域Ａをタッチした場合には、確実に当該主領域Ａを含む一の表示枠を選択していると判断可能である。一方、操作者が表示枠のうち周辺領域である副領域Ｂをタッチした場合には、当該選択肢の選択を意図したものであるのか明確ではない。副領域Ｂを主領域Ａの周辺領域と定義することで、主領域Ａから外れた不正確な入力を検出することができる。そして、不正確な入力が検出された場合には、部分拡大画面６０により選択肢を拡大して表示させることができる。
【００７５】
なお、主領域Ａは、各表示枠内において選択肢の表示がなされている部分を含む領域であり得る。あるいは、主領域Ａは各表示枠内の中心領域であり得る。
【００７６】
（４−６）
また、主領域Ａは、各表示枠の上下中心、左右中心及び／又は表記文字を含む。
【００７７】
（４−７）
また、タッチパネルが、一覧画面５０において一の表示枠の主領域Ａから入力を受け付けると、表示制御部３２は、部分拡大画面６０の表示を省略して次画面を表示する。
【００７８】
一覧画面５０において操作者が一の表示枠の主領域Ａを選択した場合、操作者は特定の選択肢を選択しており、所望の選択を行ったと言える。よって、部分的に拡大した部分拡大画面６０の表示を行うことなく次画面を表示する。部分拡大画面６０を常に表示するのではなく、選択的に表示することができる。
【００７９】
（５）変形例
（５−１）変形例Ａ
上記実施形態では、操作者が「０１５」及び「山梨県産」からなる一の選択肢の副領域Ｂをタッチした場合に、表示制御部３２は、その選択肢の上下に隣接する選択肢を部分拡大画面６０として操作ディスプレイ２１に表示した。操作者が複数の選択肢の境界領域をタッチし、複数の選択肢の副領域Ｂを同時にタッチした場合には、表示制御部３２はその複数の選択肢及び隣接する選択肢を含む部分拡大画面６０を操作ディスプレイ２１に表示してもよい。
【００８０】
図１１は一覧画面において、操作者が選択肢の境界部分をタッチした場合のタッチ位置を示す説明図である。図１２は図１１に示す操作の結果後に示される部分拡大画面の一例である。図１１に示すように操作者は一覧画面５０のうち選択肢の境界部分５５をタッチしているものとする。境界部分５５は、「００５」及び「宮城県産」からなる選択肢の副領域Ｂ、「００６」及び「山形県産」からなる選択肢の副領域Ｂ、「０１５」及び「山梨県産」からなる選択肢の副領域Ｂ及び「０１６」及び「岐阜県産」からなる選択肢の副領域Ｂにまたがっている。表示制御部３２は、この境界部分５５がタッチされたことを検出すると、部分拡大画面６０を作成する。部分拡大画面６０には、各副領域Ｂを有する選択肢に加えて、これらの選択肢に隣接する「００４」及び「岩手県産」からなる選択肢、「０１４」及び「石川県産」からなる選択肢、「００７」及び「茨城県産」からなる選択肢及び「０１７」及び「静岡県産」からなる選択肢が表示される。なお、一覧画面５０の選択肢の表示枠からの拡大率を考慮してさらに多くの隣接する選択肢が部分拡大画面６０に表示されてもよい。
【００８１】
（５−２）変形例Ｂ
図１３は一覧画面の一の選択肢における主領域Ａ及び副領域Ｂの定義の他の一例を示す説明図である。
【００８２】
上記実施形態では、副領域Ｂは主領域Ａの周辺領域であり、一の選択肢の表示枠内には１の主領域Ａ及び１の副領域Ｂのみが設けられている。しかし、一の選択肢の表示枠内には、１の主領域Ａに対して複数の副領域Ｂが設けられていていてもよい。例えば、図１３に示すように主領域Ａの周囲に第１副領域Ｂ１が設けられており、第１副領域Ｂ１の周囲に第２副領域Ｂ２が設けられ、第２副領域Ｂ２の周囲に第３副領域Ｂ３が設けられる。つまり、この場合の１の選択肢の表示枠内には、主領域Ａ、第１副領域Ｂ１、第２副領域Ｂ２及び第３副領域Ｂ３が含まれる。
【００８３】
そして、操作者によるタッチ領域が主領域Ａに対してそれぞれ第１副領域Ｂ１、第２副領域Ｂ２、第３副領域Ｂ３になるに連れて、本来タッチすべき主領域Ａからの距離が遠くなる。表示制御部３２は、操作者が第１〜第３副領域Ｂ１〜Ｂ３のいずれをタッチしたかに応じて、主領域Ａを含む選択肢に隣接する選択肢の表示数を増減させてもよい。
【００８４】
例えば、操作者は、所望の選択肢５０ａの主領域Ａを選択すべきであるとする。しかし、実際には操作者が選択肢５０ａの第１副領域Ｂ１をタッチした場合、表示制御部３２は、所望の選択肢５０ａと、選択肢５０ａに隣接する選択肢群（選択肢群Ｇ１とする）と、を拡大した部分拡大画面６０を操作ディスプレイ２１に表示する。また、実際には操作者が選択肢５０ａの第２副領域Ｂ２をタッチした場合、表示制御部３２は、所望の選択肢５０ａと、選択肢群Ｇ１と、選択肢群Ｇ１に隣接する選択肢群（ここではＧ２とする）と、を拡大した部分拡大画面６０を操作ディスプレイ２１に表示する。同様に、実際には操作者が選択肢５０ａの第３副領域Ｂ３をタッチした場合、表示制御部３２は、所望の選択肢５０ａと、選択肢群Ｇ１と、選択肢群Ｇ２と、選択肢群Ｇ２に隣接する選択肢群（ここではＧ３とする）と、を拡大した部分拡大画面６０を操作ディスプレイ２１に表示する。
【００８５】
このように操作者がタッチすべき主領域と実際に操作者がタッチした領域との関係に基づいて表示すべき選択肢の範囲を決定することで、操作者が選択を希望している選択肢を漏れなく拡大表示することができる。
【００８６】
（５−３）変形例Ｃ
図１４は、表示制御部による表示制御処理のフローチャートの別の一例である。
【００８７】
一覧画面５０において操作者が一の選択肢の主領域Ａを選択した場合、操作者は特定の選択肢を選択しており、所望の選択を行ったと言える。よって、表示制御部３２は、部分拡大画面６０を表示することなく次画面を操作ディスプレイ２１に表示する。このような処理を以下に説明する。
【００８８】
ステップＳ１０、Ｓ１１：上記図１０の処理と同様に一覧画面５０において選択肢を受け付ける。
【００８９】
ステップＳ１２：表示制御部３２は、一の選択肢の表示枠内のうち主領域Ａにおいて入力を受け付けた場合は処理を終了する。表示制御部３２が処理を終了することで、部分拡大画面６０及び確認画面８０の表示は行われない。表示制御部３２は例えば一覧画面５０をそのまま表示するか、あるいは商品項目の入力画面において選択肢が入力された画面を表示する。
【００９０】
一方、表示制御部３２は、一の選択肢の表示枠内のうち副領域Ｂにおいて入力を受け付けた場合はステップＳ１３に進む。
【００９１】
ステップＳ１３〜Ｓ１６：これらの処理は上記図１０と同様であるので説明を省略する。
【００９２】
上記図１４の表示制御処理によれば、部分拡大画面６０及び／又は確認画面８０を常に表示させるのではなく、操作者の入力内容に応じて部分拡大画面６０及び／又は確認画面８０を選択的に表示させることができる。
【００９３】
（５−４）変形例Ｄ
上記実施形態では、産地名の一覧画面５０についての部分拡大画面６０及び確認画面８０について説明した。そして、表示制御部３２は、部分拡大画面６０において、「０１５」及び「山梨県産」からなる所望の選択肢に対して上下２つ隣接する選択肢を拡大して表示している（図６参照）。しかし、操作者が「０１５」及び「山梨県産」からなる所望の選択肢の副領域Ｂをタッチした場合には、少なくとも「０１５」及び「山梨県産」からなる選択肢に隣接する上下１つの選択肢を含む部分拡大画面６０を表示してもよい。この場合、部分拡大画面６０には、「０１５」及び「山梨県産」からなる選択肢を中心にその上部に「０１４」及び「石川県産」からなる選択肢が表示され、その下部に「０１６」及び「岐阜県産」からなる選択肢が表示される。
【００９４】
（５−５）変形例Ｅ
上記実施形態では、図５の一覧画面５０において各選択肢の表示枠及び表記文字が同様に表示されているため、主領域Ａ及び副領域Ｂの定義は全ての選択肢で共通である。しかし、一覧画面５０において各選択肢の表示枠内における主領域Ａ及び副領域Ｂの定義を異ならせてもよい。例えば、一覧画面５０において各選択肢の表示枠及び／又は表記文字が異なる場合などには、選択肢それぞれの表示枠及び／又は表記文字に応じて主領域Ａ及び副領域Ｂの定義を異ならせることができる。
【００９５】
また、種々の一覧画面５０ごとに主領域Ａ及び副領域Ｂの定義を異ならせてもよい。
【００９６】
また、例えば前述の図７では、「０１５」及び「山梨県産」からなる選択肢を含む領域を主領域Ａと定義した。しかし、図１５のように主領域Ａを定義してもよい。図１５は選択肢の表示枠内における主領域及び副領域を示す別の一例の説明図である。図１５によれば、「山梨県産」からなる選択肢を含む領域を主領域Ａとしており、主領域Ａには「０１５」は含まれない。また、副領域Ｂは、選択肢の表示枠内のうち主領域Ａを除く領域である。
【００９７】
（５−６）変形例Ｆ
上記実施形態の図１０、図１４のフローチャートでは、ステップＳ１６において確認画面８０が所定時間表示されると、入力画面に戻る。しかし、確認画面８０に例えば、決定ボタンを設け、操作者が決定ボタンを押すと入力画面に戻るようにしてもよい。また、確認画面８０に戻るボタンを設け、操作者が戻るボタンを押すと部分一覧画面６０に戻っても良い。
【００９８】
（５−６）変形例Ｇ
図１６は関連情報の表示例を示す説明図である。例えば、操作者がある商品項目についてデータを入力中に賞味期限を確認する操作を行うと、賞味期限及びそれに関連する関連情報が拡大表示されてもよい。ここで、記憶部４０には賞味期限に対する関連情報として加工日が対応付けられて記憶されているものとする。表示制御部３２は、賞味期限が操作されたことを検出すると、記憶部４０を参照し、賞味期限と、それに対応付けられている加工日とを拡大して図１６に示す画面を操作ディスプレイ２１に表示する。もし、加工日が賞味期限よりも後の日である場合には、操作者は何らかの入力ミスがあることを把握できる。このように所望の情報と、それに関連する関連情報とを共に表示することで、操作者は入力したデータを確定する前に入力ミス及び操作ミスを把握することができる。
【００９９】
なお、上記では賞味期限に対する関連情報として加工日が対応付けられている。しかし、消費期限に対して関連情報として加工日が対応付けられていてもよい。
【符号の説明】
【０１００】
１０      ラベル印字装置
２１      操作ディスプレイ
２２      操作スイッチ
２３      計量部
２３ａ    計量台
２４      ラベル印字部
２４ａ    印字ヘッド
２４ｂ    認識部
２４ｃ    弾性プレート
２５      カバー
２６      カセット装着部
３０      制御部
３２      表示制御部
４０      記憶部
４１      主画面データ記憶部
４２      入力データ記憶部
４３      拡大画面データ記憶部
５０      一覧画面
６０      部分拡大画面
７０      関連情報
８０      確認画面
９０      関連情報
【先行技術文献】
【特許文献】
【０１０１】
【特許文献１】特開２００８−０５８２５１号公報
【図１】
2014056418.tif 000003
【図２】
2014056418.tif 000004
【図３】
2014056418.tif 000005
【図４】
2014056418.tif 000006
【図５】
2014056418.tif 000007
【図６】
2014056418.tif 000008
【図７】
2014056418.tif 000009
【図８】
2014056418.tif 000010
【図９】
2014056418.tif 000011
【図１０】
2014056418.tif 000012
【図１１】
2014056418.tif 000013
【図１２】
2014056418.tif 000014
【図１３】
2014056418.tif 000015
【図１４】
2014056418.tif 000016
【図１５】
2014056418.tif 000017
【図１６】
2014056418.tif 000018